【手続補正書】
【提出日】平成25年9月13日(2013.9.13)
【手続補正１】
【補正対象書類名】特許請求の範囲
【補正対象項目名】全文
【補正方法】変更
【補正の内容】
【特許請求の範囲】
【請求項１】
立体プロジェクションシステムをアライメントさせる際に使用されるテストパターンであって、前記テストパターンは、
立体画像ペアを形成する第１の画像及び第２の画像を含み、
前記第１の画像は、第１の複数の隣接する明るい領域及び暗い領域を含む第１のパターンを有し、
前記第２の画像は、第２の複数の隣接する明るい領域及び暗い領域を含む第２のパターンであって、前記各複数の隣接する明るい領域及び暗い領域の位置に関して前記第１のパターンと共役である第２のパターンを有し、
前記立体プロジェクションシステムによって投影された前記第１及び第２の画像の組み合わせが、前記立体プロジェクションシステムにおける向きエラー、収束エラー及び輝度バランスエラーの少なくとも１つを示し、
投影された前記第１の画像と前記第２の画像の間の水平方向のオフセットに関連する前記向きエラーは、投影された前記第１のパターンと前記第２のパターンの垂直な領域に沿って示され、
投影された前記第１の画像と前記第２の画像の間の垂直方向のオフセットに関連する前記収束エラーは、投影された前記第１のパターンと前記第２のパターンの水平な領域に沿って示され、
前記輝度バランスエラーは、前記第１のパターンと前記第２のパターンの少なくとも一方と同様のパターンにおける隣接する明るい領域と暗い領域によって示される、前記テストパターン。
【請求項２】
前記第１のパターンは第１の方向において対角配置された２つの四角形を含み、前記第２のパターンは前記第１の方向に対し垂直な第２の方向において対角配置された２つの四角形を含む、請求項１に記載のテストパターン。
【請求項３】
前記第１及び第２のパターンは各々、２つの明るい領域及び２つの暗い領域を少なくとも有するチェックボードパターンを呈する、請求項２に記載のテストパターン。
【請求項４】
立体プロジェクションシステムをアライメントさせる方法であって、前記方法は、
立体画像ペアを形成する第１の画像及び第２の画像を投影するステップであって、前記第１の画像が第１の複数の隣接する明るい領域及び暗い領域を含む第１のパターンを有し、前記第２の画像が、第２の複数の隣接する明るい領域及び暗い領域を含む第２のパターンであって、前記各複数の隣接する明るい領域及び暗い領域の位置に関して前記第１のパターンと共役である第２のパターンを有する、ステップと、
投影された前記第１のパターンと前記第２のパターンの間の垂直な境界領域の存在に応じて立体レンズの向きを調節するステップであって、前記垂直な境界領域が、投影された前記第１の画像と前記第２の画像の間の水平方向のオフセットを示す明るいパターン及び暗いパターンを呈する、ステップと、
投影された前記第１のパターンと前記第２のパターンの間の水平な境界領域の存在に応じて前記立体レンズの収束を調節するステップであって、前記水平な境界領域が、投影された前記第１の画像と前記第２の画像の間の垂直方向のオフセットを示す明るいパターン及び暗いパターンを呈する、ステップと、
前記第１のパターンと前記第２のパターンの少なくとも一方と同様の投影パターンにおける隣接する明るい領域と暗い領域の存在に応じて前記立体プロジェクションシステムの輝度バランスを調節するステップと、
を含む、前記方法。
【請求項５】
前記第１のパターンは第１の方向において対角配置された２つの四角形を含み、前記第２のパターンは前記第１の方向に対し垂直な第２の方向において対角配置された２つの四角形を含む、請求項４に記載の方法。
【請求項６】
前記第１及び第２のパターンは各々、２つの明るい領域及び２つの暗い領域を少なくとも有するチェックボードパターンを呈する、請求項５に記載の方法。
【請求項７】
前記輝度バランスを調節するステップはさらに、前記立体プロジェクションシステムの輝度を、前記第１のパターンと前記第２のパターンの外観が最小になるまで、投影された前記第１の画像と前記第２の画像の少なくとも一方について調節するステップを含む、請求項４に記載の方法。
【請求項８】
前記収束を調節するステップはさらに、前記立体プロジェクションシステムの垂直方向位置を、投影された前記第１の画像と前記第２の画像の間の垂直方向のオフセットに関する前記水平な境界領域の外観が最小になるまで、投影された前記第１の画像と前記第２の画像の少なくとも一方について調節するステップを含む、請求項７に記載の方法。
【請求項９】
前記向きを調節するステップはさらに、前記立体プロジェクションシステムの水平位置を、投影された前記第１の画像と前記第２の画像の間の前記水平方向のオフセットに関連する前記垂直な境界領域の外観が最小になるまで、投影された前記第１の画像と前記第２の画像の少なくとも一方について調節するステップを含む、請求項５に記載の方法。
【請求項１０】
前記立体プロジェクションシステムは、デュアルレンズ立体プロジェクションシステム及びデュアルプロジェクタシステムの一つから選択される、請求項５に記載の方法。
【請求項１１】
立体プロジェクションシステムをアライメントさせる方法であって、前記方法は、
立体画像ペアを形成する第１の画像及び第２の画像を投影するステップであって、前記第１の画像が第１の複数の隣接する明るい領域及び暗い領域を含む第１のパターンを有し、前記第２の画像が、第２の複数の隣接する明るい領域及び暗い領域を含む第２のパターンであって、前記各複数の隣接する明るい領域及び暗い領域の位置に関して前記第１のパターンと共役である第２のパターンを有する、ステップと、
前記立体プロジェクションシステムについて向き及び収束の少なくとも一方に関連するエラーをステップ（ａ）及びステップ（ｂ）の少なくとも一つを行うことで補正するステップであって、前記ステップ（ａ）が、投影された前記第１の画像と前記第２の画像の間の水平方向のオフセットに関連する垂直な境界領域の存在に応じて立体レンズの向きを調節するステップであって、前記垂直な境界領域が、前記水平方向のオフセットを示す明暗パターンを呈する、ステップを含み、及び、前記ステップ（ｂ）が、投影された前記第１の画像と前記第２の画像の間の垂直水平方向のオフセットに関連する水平な境界領域の存在に応じて立体レンズの向きを調節するステップであって、前記水平な境界領域が、前記垂直方向のオフセットを示す明暗パターンを呈する、ステップを含む、ステップと、
前記第１のパターンと前記第２のパターンの少なくとも一方と同様の投影パターンにおける隣接する明るい領域と暗い領域の存在に応じて前記立体プロジェクションシステムの輝度バランスを調節するステップと、
を含む、前記方法。
【請求項１２】
前記輝度バランスを調節するステップはさらに、前記立体プロジェクションシステムの輝度を、前記第１のパターンと前記第２のパターンの外観が最小になるまで、投影された前記第１の画像と前記第２の画像の少なくとも一方について調節するステップを含む、請求項１１に記載の方法。
【請求項１３】
前記収束を調節するステップはさらに、前記立体プロジェクションシステムの垂直方向位置を、投影された前記第１の画像と前記第２の画像の間の垂直方向のオフセットに関する前記水平な境界領域の外観が最小になるまで、投影された前記第１の画像と前記第２の画像の少なくとも一方について調節するステップを含む、請求項１１に記載の方法。
【請求項１４】
前記向きを調節するステップはさらに、前記立体プロジェクションシステムの水平位置を、投影された前記第１の画像と前記第２の画像の間の前記水平方向のオフセットに関連する前記垂直な境界領域の外観が最小になるまで、投影された前記第１の画像と前記第２の画像の少なくとも一方について調節するステップを含む、請求項１１に記載の方法。
【請求項１５】
前記立体プロジェクションシステムは、デュアルレンズ立体プロジェクションシステム及びデュアルプロジェクタシステムの一つから選択される、請求項１１に記載の方法。